(57)【要約】【課題】照明器具の近くにいる人に不快感を与えることなく、照明器具における通信部の通信異常を報知することが可能な照明制御システムを提供する。【解決手段】可視光を放射する光源７、光源７を点灯させる点灯回路、および点灯回路を制御する制御部を具備し、それぞれ固有の個別アドレスが設定された複数の照明器具Ｌを備え、各照明器具Ｌが点灯回路を制御するための外部からの制御信号を受信する機能を具備する通信部９を有している。点灯回路および制御部は、光源７への出力電流を制御する電流制御部１１が備えている。電流制御部１１の制御部は、通信部９による制御信号の受信ができないことを認知したときに、点灯回路を制御して光源７を人の目には感じない短い周期で点滅させる可視光通信により、通信部７の異常を報知する。【選択図】図１
2011249134.tif 000002
【特許請求の範囲】
【請求項１】
可視光を放射する光源、前記光源を点灯させる点灯回路、および前記点灯回路を制御する制御部を具備し、それぞれ固有の個別アドレスが設定された複数の照明器具を備え、前記各照明器具が前記点灯回路を制御するための外部からの制御信号を受信する機能を具備する通信部を有してなる照明制御システムであって、前記制御部は、前記通信部による前記制御信号の受信ができないことを認知したときに、前記点灯回路を制御して前記光源を人の目には感じない短い周期で点滅させる可視光通信により、前記通信部の異常を報知することを特徴とする照明制御システム。
【請求項２】
前記制御部は、前記通信部で前記制御信号を所定時間以上受信できなかった場合に、前記通信部による前記制御信号の受信ができないことを認知することを特徴とする請求項１記載の照明制御システム。
【請求項３】
前記各照明器具は、前記光源の累積の点灯時間を計時する計時手段を備え、前記制御部は、前記計時手段により規定の累積点灯時間が計時されたときに、前記点灯回路を制御して前記光源を人の目には感じない短い周期で点滅させる可視光通信により、前記累積点灯時間の情報を報知することを特徴とする請求項１または請求項２記載の照明制御システム。
【請求項４】
前記各照明器具と通信可能であって前記各照明器具に前記個別アドレスを含む前記制御信号を送信するコントローラを備え、前記コントローラは、前記照明器具からの前記制御信号を前記通信部で受信したことを示す返信信号が得られない場合、前記返信信号が得られない前記照明器具の前記個別アドレスを含むトリガ信号を前記制御信号として他の前記照明器具へ送信し、前記トリガ信号を受信した前記他の照明器具は、前記点灯回路を制御して前記光源を人の目には感じない短い周期で点滅させる可視光通信により、前記返信信号が得られない前記照明器具の前記個別アドレスおよび前記通信部の異常を報知することを特徴とする請求項１ないし請求項３のいずれか１項に記載の照明制御システム。
【発明の詳細な説明】
【技術分野】
【０００１】
本発明は、複数の照明器具を備え、各照明器具の状態を制御することができる照明制御システムに関するものである。
【背景技術】
【０００２】
従来から、それぞれ個別アドレスが割り当てられた複数の照明器具と、複数の照明器具に信号線を介して接続されたコントローラとで構成された照明制御システムが知られている。この種の照明制御システムでは、コントローラが、制御対象となる照明器具の個別アドレスと当該照明器具を制御するための制御データとを含む通信信号を信号線を介して各照明器具へ送信し、制御対象となる照明器具が、当該照明器具に備えられた通信部で上記通信信号を受信して、上記通信信号に基づき当該照明器具の状態を制御する。これによって、上述の照明制御システムは、各照明器具の状態を制御することができる。例えば、コントローラが、予め設定されたタイムスケジュールに基づいて各照明器具の状態を制御したり、リモコンでの操作に応じて各照明器具の状態を制御したりすることができる。また、コントローラに、人感センサや明るさセンサなどのセンサ部を設けて、コントローラがセンサ部からのセンサ信号に応じて各照明器具の状態を制御することができる。
【０００３】
ところで、上述の照明制御システムの管理者は、コントローラに複数の照明器具の状態を制御させるために、各照明器具それぞれに割り当てられた個別アドレスを把握しておく必要がある。各照明器具それぞれに割り当てられた個別アドレスを把握する方法の一例としては、各照明器具それぞれに、リモコンから送信された信号を受信するリモコン受信部を設け、各照明器具それぞれに予め割り当てられた個別アドレスを、リモコンを利用して管理者の分かりやすい個別アドレスに変更する方法が考えられる。しかしながら、各照明器具それぞれにリモコン受信部を設けることは、コストアップの要因となるとともに、各照明器具それぞれを加工するため加工費が追加となり、意匠も悪くなる。また、各照明器具の近くで各照明器具の個別アドレスを変更することは、上述の照明制御システムの照明器具の台数が多い場合、非常に手間がかかる。
【０００４】
各照明器具それぞれに割り当てられた個別アドレスを把握する他の方法としては、上述の照明制御システムの施工後に、例えば、各照明器具それぞれに割り当てられている個別アドレスの若い順から順番に各照明器具それぞれをコントローラで点灯させ、点灯している照明器具の個別アドレスを管理者の分かりやすい個別アドレスに変更する方法が考えられる。これによって、各照明器具それぞれにリモコン受信部を設けることなく、各照明器具それぞれの個別アドレスを変更することができる。また、各照明器具の近くで各照明器具の個別アドレスを変更する手間を省くことができる。
【０００５】
ここで、上述の照明制御システムにおいて、照明器具の通信部が故障したり、各照明器具それぞれに割り当てられた個別アドレスが消えてしまったりして、通信部による通信を実行できなくなる異常が発生し、コントローラが照明器具の状態を制御することができなくなった場合、どの照明器具が異常であるかを管理者が調査する必要がある。その調査方法の一例としては、管理者が、複数の照明器具をコントローラで点灯させて点灯しない照明器具を特定し、この特定した照明器具と各照明器具それぞれの個別アドレスが記載されたレイアウト図面等と照らし合わせて特定した照明器具の個別アドレスを調べる方法が考えられる。しかしながら、照明器具の近くには人がいることが多く、管理者が上述の調査方法で通信エラーが発生している照明器具を調査すると、照明器具の近くにいる人に不快感を与えるという問題があった。
【０００６】
これに対して、通信部において通信異常が発生した場合に通信異常を通知する照明器具を備えた照明制御システムとして、例えば、図６に示すように、通信異常を検出する機能を有する通信回路部（通信部）３３を具備する放電ランプ点灯装置３８を備えた複数の照明器具Ｔ（Ｔ１〜Ｔ４）と、複数の照明器具Ｔ（Ｔ１〜Ｔ４）に２線式の信号線Ｓ１を介して接続された上記機器３４とで構成されたものが提案されている（特許文献１参照）。なお、放電ランプ点灯装置３８は、光源である放電ランプ３０を点灯させる点灯回路部３１と、点灯回路部３１を制御する制御手段３２とを備えている。
【０００７】
通信回路部３３は、上位機器３４から送信された点灯回路部３１を制御するための第１の制御信号を、信号線Ｓ１を介して受信し、受信した上記第１の制御信号を制御手段３２へ送出する。また、通信回路部３３は、通信異常を検出した場合、放電ランプ３０を点滅させるための指示内容を含む第２の制御信号を制御手段３２へ送出する。
【０００８】
制御手段３２は、通信回路部３３から送出された上記第１の制御信号に基づいて点灯回路部３１を制御し、放電ランプ３０を点灯、消灯および調光点灯させる。また、制御手段３２は、通信回路部３３から送出された上記第２の制御信号に基づいて点灯回路部３１を制御し、放電ランプ３０の点灯状態を人が視認できる程度の周期で変化させる（放電ランプ３０を点滅させる。したがって、放電ランプ３０が点滅している照明器具Ｔを視認した使用者や設備管理者は、通信異常が発生している照明器具Ｔを特定することができる。
【先行技術文献】
【特許文献】
【０００９】
【特許文献１】特開２００８−６６０７４号公報
【発明の概要】
【発明が解決しようとする課題】
【００１０】
しかしながら、照明器具Ｔの近くには人がいることが多く、通信異常が発生するたびに放電ランプ３０が点滅すると、通信異常が発生した照明器具Ｔの近くにいる人に不快感を与える懸念がある。
【００１１】
本発明は上記事由に鑑みて為されたものであり、その目的は、照明器具の近くにいる人に不快感を与えることなく、照明器具における通信部の通信異常を報知することが可能な照明制御システムを提供する。
【課題を解決するための手段】
【００１２】
本発明の照明制御システムは、可視光を放射する光源、前記光源を点灯させる点灯回路、および前記点灯回路を制御する制御部を具備し、それぞれ固有の個別アドレスが設定された複数の照明器具を備え、前記各照明器具が前記点灯回路を制御するための外部からの制御信号を受信する機能を具備する通信部を有してなる照明制御システムであって、前記制御部は、前記通信部による前記制御信号の受信ができないことを認知したときに、前記点灯回路を制御して前記光源を人の目には感じない短い周期で点滅させる可視光通信により、前記通信部の異常を報知することを特徴とする。
【００１３】
この照明制御システムにおいて、前記制御部は、前記通信部で前記制御信号を所定時間以上受信できなかった場合に、前記通信部による前記制御信号の受信ができないことを認知することが好ましい。
【００１４】
この照明制御システムにおいて、前記各照明器具は、前記光源の累積の点灯時間を計時する計時手段を備え、前記制御部は、前記計時手段により規定の累積点灯時間が計時されたときに、前記点灯回路を制御して前記光源を人の目には感じない短い周期で点滅させる可視光通信により、前記累積点灯時間の情報を報知することが好ましい。
【００１５】
この照明制御システムにおいて、前記各照明器具と通信可能であって前記各照明器具に前記個別アドレスを含む前記制御信号を送信するコントローラを備え、前記コントローラは、前記照明器具からの前記制御信号を前記通信部で受信したことを示す返信信号が得られない場合、前記返信信号が得られない前記照明器具の前記個別アドレスを含むトリガ信号を前記制御信号として他の前記照明器具へ送信し、前記トリガ信号を受信した前記他の照明器具は、前記点灯回路を制御して前記光源を人の目には感じない短い周期で点滅させる可視光通信により、前記返信信号が得られない前記照明器具の前記個別アドレスおよび前記通信部の異常を報知することが好ましい。
【発明の効果】
【００１６】
本発明の照明制御システムにおいては、照明器具の近くにいる人に不快感を与えることなく、照明器具における通信部の通信異常を報知することが可能となる。
【図面の簡単な説明】
【００１７】
【図１】実施形態１の照明制御システムに関し、（ａ）は示すシステム構成図、（ｂ）は照明器具の回路ブロック図である。
【図２】同上の照明制御システムにおけるコントローラの回路ブロック図である。
【図３】同上の照明制御システムの通常モード時における光源の光出力を示す図である。
【図４】同上の照明制御システムの可視光通信モード時における光源の光出力を示す図である。
【図５】実施形態２の照明制御システムを示すシステム構成図である。
【図６】従来の照明制御システムに関し、（ａ）はシステム構成図、（ｂ）は放電ランプ点灯装置の回路ブロック図である。
【発明を実施するための形態】
【００１８】
（実施形態１）
本実施形態の照明制御システムは、図１（ａ）に示すように、複数（図１では、４つ）の照明器具Ｌ（Ｌ１〜Ｌ４）と、これら複数の照明器具Ｌに２線式の信号線Ｓ１を介して接続され各照明器具Ｌとの間で通信可能であり各照明器具Ｌを制御するコントローラ１０とで構成されている。なお、コントローラ１０は、複数の照明器具Ｌ（Ｌ１〜Ｌ４）と信号線Ｓ１を介して通信可能となっているが、これに限らず、電波などの無線媒体を介して通信可能な構成としてもよい。
【００１９】
複数の照明器具Ｌは、商用電源である交流電源ＡＣに電源線Ｓ２を介して接続されており、この交流電源ＡＣから給電される。
【００２０】
コントローラ１０および各照明器具Ｌ１〜Ｌ４には、それぞれ固有の個別アドレスが設定されており、コントローラ１０と各照明器具Ｌ１〜Ｌ４とは信号線Ｓ１を介してそれぞれ相互通信を行うことができるようになっている。
【００２１】
コントローラ１０は、図２に示すように、各照明器具Ｌとの通信を行う通信部３と、各照明器具Ｌそれぞれの個別アドレスや各照明器具Ｌへ通信部３を介して送信する通信信号である制御信号などのデータを記憶する記憶部５と、パーソナルコンピュータなどの外部機器からの信号を受信する外部入力部４と、人感センサ、明るさセンサ、画像センサ等で構成されたセンサ部６と、センサ部６や外部入力部４などからの出力に基づいて記憶部５から適宜のデータを読み出して通信部３から照明器具Ｌを制御するための制御信号を送信させる制御部２と、交流電源ＡＣから給電される交流電圧を第１の所定の直流電圧に変換して制御部２などへ供給する電源部１とを備えている。ここにおいて、制御部２は、制御対象となる照明器具Ｌの個別アドレスと当該照明器具Ｌの光源７の調光率データとを含む第１の制御信号を、通信部３から信号線Ｓ１を介して各照明器具Ｌ１〜Ｌ４へ送信させる。なお、コントローラ１０は、外部入力部４に接続されたパーソナルコンピュータなどの外部機器を用いて、当該コントローラ１０および各照明器具Ｌそれぞれの個別アドレスの設定を行うことができるようになっている。
【００２２】
コントローラ１０の制御部２は、一定間隔で通信部３から上記第１の制御信号を信号線Ｓ１を介して各照明器具Ｌ１〜Ｌ４へ送信する。また、制御部２は、例えば、センサ部６の上記人感センサで人体が検知されると、通信部３から上記第１の制御信号を信号線Ｓ１を介して照明器具Ｌへ送信させる。
【００２３】
照明器具Ｌは、図１（ｂ）に示すように、可視光を放射する白色ＬＥＤからなる光源７と、外部のコントローラ１０の通信部３から送信された上記第１の制御信号を信号線Ｓ１を介して受信する機能を具備する通信部９と、上記調光率データに対応した動作を示す内容や当該照明器具Ｌの個別アドレスなどが記憶された記憶部１２と、通信部９で受信した上記第１の制御信号に含まれた上記調光率データに基づいて記憶部１２から読み出した動作の内容に応じて光源７への出力電流を変化させて光源７を点灯させる電流制御部１１と、交流電源ＡＣから給電される交流電圧を第２の所定の直流電圧に変換して電流制御部１１などへ供給する電源部８とを備えている。なお、電流制御部１１は、上記第１の制御信号を受信したときに、当該照明器具Ｌの個別アドレスを含む返信信号を、通信部９からコントローラ１０へ送信させる。
【００２４】
電流制御部１１は、光源７を点灯させる点灯回路（図示せず）と、通信部９で受信した上記第１の制御信号に含まれた上記調光率データに基づいて記憶部１２から読み出した動作の内容に応じて上記点灯回路を制御するマイクロコンピュータなどからなる制御部とを備え、当該制御部が、上記調光率データに基づいて記憶部１２から読み出した動作の内容に応じて上記点灯回路から光源７へ出力する出力電流の大きさを変化させることによって、光源７の光出力を変化させる。このように電流制御部１１が、通信部９で受信した上記第１の制御信号に含まれた上記調光率データに基づいて光源７の光出力を変化させる動作モードを通常動作モードと称する。電流制御部１１の通常動作モードでの、光源７の光出力の一例を図３に示す。通常動作モード時の光源７の光出力は、図３に示すように、周期Ｔ０のＰＷＭ波形であり、周期Ｔ０の期間において、光出力が振幅Ｖ１であるオン期間Ｔ１と、光出力が振幅０であるオフ期間Ｔ２とで構成されている。つまり、電流制御部１１が、この周期Ｔ０の期間に対するオン期間Ｔ１の割合Ｔ１／Ｔ０（オンデューティ比）を変化させることによって、光源７の光出力の大きさが変化する。
【００２５】
また、電流制御部１１は、通信部９で上記第１の制御信号を所定時間（この所定時間は、上記一定間隔よりも長い時間である）以上受信できなかったときに、通信部９による前記制御信号の受信ができないことを認知し、前記点灯回路を制御して前記光源を人の目には感じない短い周期で点滅させることにより前記通信部９の異常を報知する可視光通信モードへ移行する。つまり、電流制御部１１は、上記所定時間を時限する時限手段（例えば、タイマなど）を備えており、当該時限手段により上記所定時間が時限されたときに前記第１の制御信号の受信ができないことを認知し、可視光通信モードへ移行する。言い換えれば、電流制御部１１は、上記第１の制御信号の受信ができないことをトリガ信号として、通常通信モードから可視光通信モードへ移行する。電流制御部１１は、記憶部１２に予め記憶されている通信異常を示すコードを読み出し、このコードに対応した第１の情報信号を光源７の光出力に重畳させ、人の目には感じない非常に短い周期で光源７を点滅させる（図４に可視光通信モード時の光源７の光出力の一例を図４に示す）。これによって、上述の照明制御システムの管理者は、照明器具Ｌの近くで上記第１の情報信号を受信可能な受信端末（図示せず）を利用することによって、上記第１の情報信号を受信することができる。したがって、管理者は、上記受信端末を利用することにより、通信部９に異常の発生した照明器具Ｌを特定することが可能となる。
【００２６】
以下、上述の照明制御システムの動作の一例を説明する。
【００２７】
例えば、各照明器具Ｌ１〜Ｌ４がすべて消灯している場合において、コントローラ１０の制御部２は、センサ部６の上記人感センサで人体を検知すると、通信部３から制御対象となる照明器具Ｌ（Ｌ１〜Ｌ４）の個別アドレス（以下、送信先アドレスと称する）と上記調光率データとを含む上記第１の制御信号を、信号線Ｓ１を介して各照明器具Ｌ１〜Ｌ４へ送信する。照明器具Ｌ（Ｌ１〜Ｌ４）は、コントローラ１０の通信部３から送信された上記第１の制御信号を、信号線Ｓ１を介して通信部９で受信し、通信部９は受信した上記第１の制御信号を電流制御部１１へ送出する。電流制御部１１は、上記第１の制御信号に含まれた上記送信先アドレスが自身の個別アドレスに一致する場合のみ、上記第１の制御信号に含まれた上記調光率データに基づいて光源７を調光点灯させる。
【００２８】
また、照明器具Ｌの電流制御部１１は、通信部９の通信異常（例えば、通信部９の故障など）により通信部９で上記第１の制御信号を上記所定時間以上受信できないことを認知すると、通常動作モードから可視光通信モードへ移行する。そして、電流制御部１１は、記憶部１２に予め記憶されている通信異常を示すコードを記憶部１２から読み出し、通信異常を示すコードに対応した上記第１の情報信号（変調信号）を、光源７へ与える出力電流に重畳させて光源７を人の目には感じない非常に短い周期で点滅させる。
【００２９】
しかして、本実施形態の照明制御システムでは、通信異常の発生した通信部９を備えた照明器具Ｌの近くにいる人に不快感を与えることなく、この照明器具Ｌにおける通信部９の通信異常を報知することが可能となる。要するに、本実施形態の照明制御システムでは、照明器具Ｌが、通信部９で上記第１の制御信号を上記所定時間以上受信できなかったことをトリガとして、自身の判断で可視光通信を行うので、通信部９による通信を行うことが実行できなくなった照明器具Ｌを、人の目に違和感を与えることなく、報知することが可能となる。
【００３０】
ここにおいて、上述の照明制御システムでは、照明器具Ｌの光源７として、白色ＬＥＤを例示しているが、これに限らず、蛍光灯などであってもよい。また、上述の照明制御システムでは、コントローラ１０を備えているが、これに限らず、照明器具Ｌにコントローラ１０の機能を付与してもよい。
【００３１】
また、上述の照明制御システムは、各照明器具Ｌの通信部９の異常の有無に関わらず各照明器具Ｌに可視光通信を実行させることが可能であり、例えば、各照明器具Ｌそれぞれの個別アドレスを確認したいときに、各照明器具Ｌから可視光通信により個別アドレスの情報を送信させることも可能である。
【００３２】
（実施形態２）
本実施形態の照明制御システムの基本構成は図１および図２を用いて説明した実施形態１と同じなので、図示を省略する。
【００３３】
ところで、白色ＬＥＤの寿命は約１０年とされているが、ビルなどの施設によっては１０年の間に、照明制御システムのメンテナンスを行う管理者などが代わったり、各照明器具Ｌ１〜Ｌ４の設置場所や、人感センサ、明るさセンサ等のセンサ部６の働きなどにより各照明器具Ｌ１〜Ｌ４それぞれの光源７の累積の点灯時間が異なったりするため、管理者が各照明器具Ｌ１〜Ｌ４それぞれの光源７の累積の点灯時間を把握することが難しい場合がある。
【００３４】
ここにおいて、照明器具Ｌに光源７の累積の点灯時間を計時する計時手段（タイマなどからなるカウント）を設け、計時手段により計時された累積の点灯時間を記憶部１２に記憶させておくことにより、各照明器具Ｌそれぞれの光源７の累積の点灯時間を知ることが可能となる。
【００３５】
しかしながら、照明器具Ｌ（Ｌ１〜Ｌ４）には、リモコンの送信部および受信部が設けられていないので、光源７の累積の点灯時間の情報を管理者が知るためには、コントローラ１０が各照明器具Ｌから累積の点灯時間を含む通信信号を受信させて、外部入力部４に接続したパーソナルコンピュータなどを利用して各照明器具Ｌごとの光源７の累積の点灯時間の情報を取得する必要がある。
【００３６】
これに対して、本実施形態の照明制御システムでは、電流制御部１１の上記制御部が、上記計時手段により規定の累積点灯時間（例えば、５年、７年、９年、９．５年、１０年など）が計時されたときに、上記点灯回路を制御して光源７を人の目には感じない短い周期で点滅させる可視光通信により、累積点灯時間の情報を報知する。
【００３７】
さらに説明すれば、電流制御部１１は、上記計時手段により計時された時間が記憶部１２に記憶されている規定の累積点灯時間になる度に、一時的に通常動作モードから可視光通信モードへ移行し、上記計時手段が予め記憶部１２に記憶されている規定の累積点灯時間を計時したことを示すコードに対応した第２の情報信号（変調信号）を、光源７へ与える出力電流に重畳させて光源７を人の目には感じない非常に短い周期で点滅させる。
【００３８】
しかして、本実施形態の照明制御システムでは、照明器具Ｌの通信部９で通信異常が発生したときとは別に、各照明器具Ｌ（Ｌ１〜Ｌ４）において、上記計時手段が予め記憶部１２に記憶された規定の累積点灯時間を計時したことをトリガとして、自身の判断で光源７を利用した可視光通信を行い、照明器具Ｌの個別アドレスおよび光源７の累積の点灯時間（累積点灯時間）の情報を報知する。しかして、照明制御システムの管理者やメンテナンス者などの作業者は、上記受信端末を持って各照明器具Ｌ１〜Ｌ４の近くを歩くことによって、照明器具Ｌ（Ｌ１〜Ｌ４）の光源７の累積点灯時間を知ることが可能となり、照明器具Ｌ（Ｌ１〜Ｌ４）の累積点灯時間の確認のために煩わしい作業を行うことなく、光源７の交換時期が近づいてきた照明器具Ｌを知ることが可能となるから、照明制御システムの管理やメンテナンスが容易になる。
【００３９】
（実施形態３）
図５に示す本実施形態の照明制御システムの基本構成は実施形態１，２と同じであり、通信異常が発生している照明器具Ｌの個別アドレスを他の照明器具Ｌに伝えることができる点が相違する。なお、実施形態１，２と同様の構成要素には同一の符号を付して説明を適宜省略する。
【００４０】
実施形態１で説明したように、コントローラ１０と各照明器具Ｌ１〜Ｌ４とは、信号線Ｓ１を介して常に相互通信を行っており、照明器具Ｌは、コントローラ１０の通信部３から送信された上記第１の制御信号を通信部９で受信したことを示す返信信号を通信部９から信号線Ｓ１を介してコントローラ１０へ送信する。この返信信号は、照明器具Ｌの個別アドレスのデータを含むフォーマットの信号とする。
【００４１】
例えば、各照明器具Ｌ１〜Ｌ４それぞれを調光率５０％で調光点灯させたい場合、コントローラ１０が、通信部３から各照明器具Ｌ１〜Ｌ４それぞれの個別アドレス（以下、送信先アドレスと称する）と調光率５０％である調光率データとを含む上記第１の制御信号を、信号線Ｓ１を介して各照明器具Ｌ１〜Ｌ４へ送信する。通信部３から送信された上記第１の制御信号を信号線Ｓ１を介して通信部９で受信した照明器具Ｌ（Ｌ１〜Ｌ４）は、上記第１の制御信号に含まれた上記送信先アドレスが自身の個別アドレスと一致する場合のみ、電流制御部１１が上記第１の制御信号に含まれた上記調光率データに基づいて上記点灯回路の出力電流を制御して光源７を調光率５０％で調光点灯させる。その後、照明器具Ｌ（Ｌ１〜Ｌ４）は、通信部９から上記返信信号を、信号線Ｓ１を介してコントローラ１０へ送信する。
【００４２】
したがって、コントローラ１０の制御部２は、照明器具Ｌ（Ｌ１〜Ｌ４）からの個別アドレスのデータを含む上記返信信号を、通信部３を介して受信することによって、制御対象である照明器具Ｌ（Ｌ１〜Ｌ４）と正常に通信が行われたことを認識することができる。
【００４３】
これに対して、コントローラ１０は、例えば、制御対象である複数の照明器具Ｌ１〜Ｌ４のうち照明器具Ｌ４からのみ上記返信信号を、通信部３を介して受信できなかった場合、照明器具Ｌ４に通信異常が発生していると認識する。すると、コントローラ１０の制御部２は、通信異常が発生していない他の照明器具Ｌ１〜Ｌ３，Ｌ１０１〜Ｌ１５３に、通信異常が発生している照明器具Ｌ４の個別アドレスおよび動作モードを通常動作モードから可視光通信モードへ移行させるための指示内容を含む第２の制御信号を通信部３から送信する。すなわち、上記第２の制御信号は、他の照明器具Ｌ１〜Ｌ３，Ｌ１０１〜Ｌ１５３それぞれの個別アドレス（送信先アドレス）、照明器具Ｌ４の個別アドレスおよび当該照明器具Ｌ４に通信異常が発生していることを示す情報を含む。ここにおいて、コントローラ１０の制御部２が、通信部３から上記第２の制御信号を、信号線Ｓ１を介して他の照明器具Ｌ１〜Ｌ３，Ｌ１０１〜Ｌ１５３すべてに送信しているが、これに限らず、管理者がコントローラ１０の信号入力部４（図２参照）に接続したパーソナルコンピュータなどを利用してあらかじめ指定した任意の照明器具Ｌ（Ｌ１〜Ｌ３，Ｌ１０１〜Ｌ１５３）に上記第２の制御信号を送信してもよい。
【００４４】
他の照明器具Ｌ（Ｌ１〜Ｌ３，Ｌ５〜Ｌ１５３）の電流制御部１１は、上記第２の制御信号に含まれた上記送信先アドレスが自身の個別アドレスに一致すると、上記第２の制御信号に含まれた上記指示内容によって通常動作モードから可視光通信モードへ移行する。また、電流制御部１１は、上記第２の制御信号に含まれた通信異常が発生している照明器具Ｌ４の個別アドレスおよび当該個別アドレスを有する照明器具Ｌの通信部９に通信異常が発生していることを示す第３の情報信号（変調信号）を、光源７へ与える出力電流に重畳させて光源７を人の目には感じない非常に短い周期で点滅させる。
【００４５】
要するに、本実施形態の照明制御システムでは、コントローラ１０が、返信信号が得られない照明器具Ｌ４の個別アドレスを含むトリガ信号を上記第２の制御信号として他の照明器具Ｌ１〜Ｌ３，Ｌ１０１〜Ｌ１５３へ送信し、このトリガ信号を受信した他の照明器具Ｌ１〜Ｌ３，Ｌ１０１〜Ｌ１５３の電流制御部１１が、点灯回路を制御して光源７を人の目には感じない短い周期で点滅させる可視光通信により、照明器具Ｌ４の個別アドレスおよび当該照明器具４の通信部９の異常を報知する。
【００４６】
しかして、本実施形態の照明制御システムでは、他の照明器具Ｌ１〜Ｌ３，Ｌ１０１〜Ｌ１５３それぞれからの光源７を利用した可視光通信により、照明器具Ｌ４が通信異常であることを報知することができる。また、通信部９に通信異常が発生している照明器具Ｌ４も、実施形態１と同様、コントローラ１０の通信部３から送信された上記第１の制御信号を上記所定時間以上、受信できなかったときには、光源７を利用した可視光通信により当該照明器具４の通信部９に通信異常が発生していることを報知することができる。したがって、通信異常が発生している照明器具Ｌ４の報知を、通信異常が発生している照明器具４だけでなく、他の照明器具Ｌ１〜Ｌ３，Ｌ１０１〜Ｌ１５３それぞれからも行うことができる。その結果、上述の照明制御システムの管理者は、通信異常が発生している照明器具Ｌ４の近くまで行かなくても、上記受信端末を持って各照明器具Ｌ１〜Ｌ３，Ｌ１０１〜Ｌ１５３のうちのいずれか１つの近くを歩くことによって、通信異常が発生している照明器具Ｌ４を特定することができるから、実施形態１に比べて異常が発生している照明器具を容易に特定することが可能となり、メンテナンス性が向上する。
【符号の説明】
【００４７】
７  光源
９  通信部
１０  コントローラ
１１  電流制御部
Ｌ（Ｌ１〜Ｌ４）  照明器具
【図１】
2011249134.tif 000003
【図２】
2011249134.tif 000004
【図３】
2011249134.tif 000005
【図４】
2011249134.tif 000006
【図５】
2011249134.tif 000007
【図６】
2011249134.tif 000008